(57)【要約】【課題】  踏板を側枠に固定しているボルトが緩むようなことがあっても、踏板を脱落させることなく側枠に保持して、事故を防止出来る足場用階段を提供する。【解決手段】  傾斜状に配置される左右両側一対の側枠１，１間に、踏板本体３の左右両端部に断面コ字状の端部キャップ４，４を嵌合固定してなる踏板２を水平に一定間隔おきに横架してなる階段であって、各踏板２は、各側枠１から挿通したボルト５を各端部キャップ４に設けた雌ねじ部６に螺合して締め付けることにより、両側枠１，１に固定されるようになっている仮設足場用階段において、各端部キャップ４には、傾斜状に配置される側枠１の上側面部１ａと下側面部１ｂとに夫々当接支持される踏板脱落防止用ストッパー片１０を突設している。【選択図】図５
2005126978.tif 000002
【特許請求の範囲】
【請求項１】
傾斜状に配置される左右両側一対の側枠間に、踏板本体の左右両端部に断面コ字状の端部キャップを嵌合固定してなる踏板を水平に一定間隔おきに横架してなる階段であって、各踏板は、各側枠から挿通したボルトを各端部キャップに設けた雌ねじ部に螺合して締め付けることによって、両側枠に固定されるようになっている足場用階段において、
各端部キャップには、傾斜状に配置される側枠の上側面部と下側面部とに夫々当接支持される踏板落下防止用ストッパー片を突設してなることを特徴とする足場用階段。
【請求項２】
前記ストッパー片は、各端部キャップの左右両端部に夫々複数個設け、その一端部側のストッパー片を側枠の上側面部に当接支持させ、他端部側のストッパー片を側枠の下側面部に当接支持させるようにしたことを特徴とする請求項１に記載の足場用階段。
【発明の詳細な説明】
【技術分野】
【０００１】
本発明は、建築作業現場の組立足場に使用される足場用階段に関するものである。
【背景技術】
【０００２】
従来の足場用階段として、公知文献を具体的に挙げることは出来ないが、従来より使用されている階段は、傾斜状に配置される左右両側一対の金属製側枠間に、金属製踏板本体の左右両端部に横断面コ字状の金属製端部キャップを嵌合固定してなる踏板を、水平姿勢にて一定間隔おきに横架してなるもので、各踏板は、側枠から挿通した固定用ボルトを端部キャップに設けた雌ねじ部に螺合して締め付けることによって、両側枠に固定されるようになっている。
【発明の開示】
【発明が解決しようとする課題】
【０００３】
上記のような構成の従来の足場用階段においては、各踏板を側枠に固定しているボルトが緩んだ場合に、踏板が側枠から脱落して大きな事故を招くと云う問題があった。
【０００４】
本発明は、上記の課題に鑑み、踏板を側枠に固定しているボルトが緩むようなことがあっても、踏板を脱落させることなく側枠に保持させて、事故を防止することの出来る足場用階段を提供することを目的とする。
【課題を解決するための手段】
【０００５】
上記課題を解決するための手段を、後述する実施形態の参照符号を付して説明すると、請求項１に係る発明は、傾斜状に配置される左右両側一対の側枠１，１間に、踏板本体３の左右両端部に断面コ字状の端部キャップ４，４を嵌合固定してなる踏板２を水平に一定間隔おきに横架してなる階段Ｋであって、各踏板２は、各側枠１から挿通したボルト５を各端部キャップ４に設けた雌ねじ部６に螺合して締め付けることによって、両側枠１，１に固定されるようになっている足場用階段Ｋにおいて、各端部キャップ４には、傾斜状に配置される側枠１の上側面部１ａと下側面部１ｂとに夫々当接支持される踏板脱落防止用ストッパー片１０を突設してなることを特徴とする。
【０００６】
請求項２は、請求項１に記載の足場用階段Ｋにおいて、前記ストッパー片１０は、各端部キャップ４の左右両端部側に夫々複数個ずつ設け、その何れか一端部側のストッパー片１０，１０を側枠１の上側面部１ａに当接支持させ、他端部側のストッパー片１０，１０を側枠１の下側面部１ｂに当接支持させるようにしたことを特徴とする。
【発明の効果】
【０００７】
上記解決手段による発明の効果を、後述する実施形態の参照符号を付して説明すると、請求項１に係る発明によれば、足場用階段Ｋの使用中に、踏板２を側枠１に固定しているボルト５が緩んで外れるようなことがあっても、その踏板２は、傾斜状側枠１の上側面部１ａと下側面部１ｂとに夫々当接しているストッパー片１０，１０によって側枠１に保持されるから、脱落が防止されて、事故の発生が防止される。
【０００８】
請求項２に係る発明によれば、ストッパー片１０を各端部キャップ４の左右両端部側に夫々複数個ずつ設けているから、それらのストッパー片１０によって側枠１の上側面部１ａと下側面部１ｂを安定状態に保持でき、踏板２の脱落をより有効に防止出来る。
【発明を実施するための最良の形態】
【０００９】
以下に本発明の好適な実施形態を図面に基づいて説明すると、図１は本発明に係る足場用階段Ｋの使用状態を示す斜視図、図２は同足場用階段Ｋの側面図、図３の(a) は図２の矢印Ａで囲まれる部分の拡大図、(b) は図２の矢印Ｂで囲まれる部分の拡大図、図４は図２のＸ−Ｘ線拡大断面図である。図５の(a) は足場用階段Ｋの要部断面斜視図、(b) は端部キャップ４を踏板本体３から取り外した状態で示す斜視図である。
【００１０】
この足場用階段Ｋは、傾斜状に配置される左右両側一対の側枠１，１に踏板２を一定間隔おきに水平に横架してなるもので、両側枠１，１の夫々上下両端部には掛止用フック７ａ，７ｂが取り付けられ、各掛止用フック７ａ，７ｂは、図１に示すような枠組足場Ｗの建枠８の横材９に掛止出来るようになっており、また下端側の掛止用フック７ｂは、図３の(b) に示すように床面Ｆ上に安定状態に接地出来るようになっている。
【００１１】
各踏板２は、踏板本体３と、この踏板本体３の左右両端部に嵌合固定される断面コ字状の端部キャップ４，４とからなるもので、各側枠１から挿通したボルト５を各端部キャップ４に取り付けたナット６（雌ねじ部）に螺合して締め付けることによって、両側枠１，１に挟まれた状態で固定されるようになっている。そして各端部キャップには、傾斜状に配置される側枠１の上側面部１ａと下側面部１ｂとに夫々当接支持される踏板脱落防止用ストッパー片１０が突設されている。
【００１２】
上記足場用階段Ｋの構造について更に詳細に説明すると、各側枠１は、図４及び図５に示すような断面略コ字状のアルミニウム合金の押し出し型材からなるもので、コ字状溝部１ｃを外向きにして配置される。尚、図示は省略するが、側枠１には、一定角度傾斜した位置で各踏板２が水平に取り付けられる位置（左右２箇所に）にボルト挿通孔が設けられている。
【００１３】
各踏板２の踏板本体３は、図６の(b) に示すような断面形状のアルミニウム合金の押し出し型材からなるもので、裏面側の前後両側端部及びその中間部に角筒状の補強枠部１１，１１，１２を形成し、同図の(a) に示すように、表面側には前後両側端部及びその中間部に滑り止め用凹凸条部１３，１３，１４を形成すると共に、凹凸条部１３と凹凸条部１４との間には滑り止め用孔部１５がバーリング加工によって形成されている。
【００１４】
端部キャップ４は、図７の(a) 〜(d) から分かるように、外側壁部４ａと上下壁部４ｂ，４ｃとで断面略コ字状に形成されるアルミニウム合金の押し出し型材からなるもので、外側壁部４ａの中央部域が隆起して、その隆起部１６の左右両端部にボルト挿通孔１７，１７が設けてあって、各ボルト挿通孔１７の裏側に前記ナット６が同心状に固着されている。そして図５の(a) 〜(d) 及び図７の(a) に示すように、外側壁部４ａの左右両端側には夫々上下２箇所に、傾斜状に配置される各側枠１の上側面部１ａと下側面部１ｂとに夫々当接支持される踏板脱落防止用ストッパー片１０が突設されている。上下各壁部４ｂ，４ｃの両端部にはリベット孔１８が設けられている。
【００１５】
この踏板脱落防止用ストッパー片１０は、矩形状の板片からなるもので、溶接によって端部キャップ４の外側壁部４ａ所要箇所に固着されている。このストッパー片１０は、溶接によって外側壁部４ａに固着しているが、外側壁部４ａの所要部に例えばコ字状の切り込みを入れてこれを引き起こすことによって形成してもよい。あるいは、矩形状の板片からなるストッパー片１０に代えて、ピン状に形成したものを外側壁部４ａの所要部にネジ又は溶接によって固着するようにしてもよい。
【００１６】
図８の(a) ，(b) には、踏板本体３の左右両端部に夫々端部キャップ４を嵌合して、リベット孔１８を利用して端部キャップ４を踏板本体３にリベット１９結合した状態を示している。
【００１７】
図８に示すような踏板２を側枠１に取り付けるには、各側枠１に設けられた踏板取付用のボルト挿通孔（図示せず）から、踏板２の端部キャップ４の内部に設けられているナット６にボルト５を螺入すると共に、端部キャップ４の外側壁部４ａ外面に突設されている踏板脱落防止用ストッパー片１０を傾斜状側枠１の上側面部１ａと下側面部１ｂとに夫々当接支持させる。
【００１８】
この場合、ストッパー片１０は、端部キャップ４の一端側寄りの斜め上下２箇所と他端側寄りの斜め上下２箇所に設けてあるから、対応する何れか一端側の斜め上下２つのストッパー片１０，１０を傾斜状側枠１の上側面部１ａに当接支持させ、他端側の斜め上下２つのストッパー片１０，１０を傾斜状側枠１の下側面部１ｂに当接支持させる。
【００１９】
上記のようにして各踏板２の端部キャップ４の踏板脱落防止用ストッパー片１０を傾斜状側枠１の上側面部１ａと下側面部１ｂとに夫々当接支持させた状態で、ボルト５を締め付けることによって、各踏板２は、両側枠１，１に挟まれた状態で固定される。この状態を図３、図４及び図５の(a) に示す。
【００２０】
以上説明したように、本発明に係る足場用階段Ｋにおいては、各端部キャップ４に踏板脱落防止用ストッパー片１０が突設されていて、側枠１に対する踏板２の取付けにあたり、そのストッパー片１０を傾斜状に配置される側枠１の上側面部１ａと下側面部１ｂとに夫々当接支持させるようにしているから、足場用階段Ｋの使用中に、踏板２を側枠１に固定しているボルト５が緩んで外れるようなことがあっても、その踏板２は、傾斜状側枠１の上側面部１ａと下側面部１ｂとに夫々当接支持しているストッパー片１０によって側枠１に保持され、それにより脱落が防止される。
【００２１】
また、ストッパー片１０は、端部キャップ４の一端側寄りの斜め上下２箇所と他端側寄りの斜め上下２箇所に設けられているから、これら４つのストッパー片１０により側枠１の上側面部１ａと下側面部１ｂを安定状態で保持することができて、踏板２の脱落をより有効に防止出来る。
【００２２】
この実施形態では、上記のように端部キャップ４の一端側と他端側とに夫々２個ずつ踏板脱落防止用ストッパー片１０を設けているが、このストッパー片１０は端部キャップ４の一端側と他端側とに夫々１個ずつ設けてもよいし、２個以上複数個設けてもよい。また、この実施形態では、踏板固定用のボルトを端部キャップ側に螺合する雌ねじ部として、ナットを用いているが、ナットの代わりに、端部キャップにねじ孔を明けるよにうしてもよい。
【図面の簡単な説明】
【００２３】
【図１】本発明に係る足場用階段の使用状態を示す斜視図である。
【図２】同足場用階段の側面図である。
【図３】(a) は図２の矢印Ａで囲まれる部分の拡大図、(b) は図２の矢印Ｂで囲まれる部分の拡大図である。
【図４】図２のＸ−Ｘ線拡大断面図である。
【図５】(a) は足場用階段の要部断面斜視図、(b) は端部キャップを踏板本体から取り外した状態で示す斜視図である。
【図６】(a) は踏板本体を示す平面図、(b) は側面図である。
【図７】(a) は端部キャップの正面図、(b) は平面図、(c) は端面図、(d) は(a) のＹ−Ｙ線拡大断面図である。
【図８】(a) は踏板の平面図、(b) は側面図である。
【符号の説明】
【００２４】
Ｋ          足場用階段
１          側枠
１ａ        側枠の上側面部
１ｂ        側枠の下側面部
２          踏板
３          踏板本体
４          端部キャップ
５          ボルト
６          ナット（雌ねじ部）
１０        踏板脱落防止用ストッパー片
【図１】
2005126978.tif 000003
【図２】
2005126978.tif 000004
【図３】
2005126978.tif 000005
【図４】
2005126978.tif 000006
【図５】
2005126978.tif 000007
【図６】
2005126978.tif 000008
【図７】
2005126978.tif 000009
【図８】
2005126978.tif 000010